(57)【要約】【課題】延長ファイバケーブルと眼内プローブとが中継コネクタを介して接続されている場合、眼内プローブを中継コネクタから取り外しても、レーザ光が外部に漏洩するのを防止することのできるレーザ光凝固装置を提供する。【解決手段】レーザ光源を有するレーザ光源部と、レーザ光源部に接続されレーザ光源からのレーザ光を外部へ導出する延長ファイバケーブル１５と、延長ファイバケーブル１５の先端に取り付けられた中継コネクタ１６と、中継コネクタ１６に着脱自在に接続され、延長ファイバケーブル１５にて導出されたレーザ光を患者の被検眼へ照射するための眼内プローブ１７とを備えたレーザ光凝固装置であって、中継コネクタ１６はピン２２で回動自在に支持された遮蔽板２１を有する。そして、眼内プローブ１７が中継コネクタ１６から取り外されたときは、遮蔽板２１がその自重によりピン２２を中心に回動して、延長ファイバケーブル１５の先端面を遮蔽する。【選択図】図２
2009297083.tif 000002
【特許請求の範囲】
【請求項１】
レーザ光源を有するレーザ光源部と、該レーザ光源部に接続され前記レーザ光源からのレーザ光を外部へ導出する延長ファイバケーブルと、前記延長ファイバケーブルの先端に取り付けられた中継コネクタと、前記中継コネクタに着脱自在に接続され、前記延長ファイバケーブルにて導出されたレーザ光を患者の被検眼へ照射するための眼内プローブとを備えたレーザ光凝固装置であって、
前記中継コネクタは、前記眼内プローブが当該中継コネクタに接続されたとき、前記延長ファイバケーブルから前記眼内プローブへとレーザ光を導く一方、
前記中継コネクタは、前記眼内プローブが当該中継コネクタから取り外されたとき、前記延長ファイバケーブルの先端面を遮蔽し、当該延長ファイバケーブルから外部へレーザ光が漏洩するのを防止するレーザ光漏洩防止手段を備えたことを特徴とするレーザ光凝固装置。
【請求項２】
前記中継コネクタは、前記レーザ光漏洩防止手段として、上部がピンで支持された遮蔽板を有し、該遮蔽板は前記ピン回りに回動自在に設けられ、
前記眼内プローブを前記中継コネクタに接続したときは、前記遮蔽板は前記延長ファイバケーブルの端面前方から退避され、前記眼内プローブを前記中継コネクタから取り外したときは、前記遮蔽板がその自重で前記ピン回りに回動し、当該遮蔽板は前記延長ファイバケーブルの端面前方に位置することを特徴とする請求項１に記載のレーザ光凝固装置。
【請求項３】
前記中継コネクタは、前記レーザ光漏洩防止手段として、回転駆動機構と、該回転駆動機構によって駆動される遮蔽板と、前記回転駆動機構を起動させるスイッチとを有し、
前記眼内プローブを前記中継コネクタに接続するときは、前記スイッチが操作されることにより、前記回転駆動機構が作動して前記遮蔽板が前記延長ファイバケーブルの端面前方から退避し、前記眼内プローブを前記中継コネクタから取り外したときは、前記回転駆動機構が自動的に作動して、前記遮蔽板を前記延長ファイバケーブルの端面前方に位置させることを特徴とする請求項１に記載のレーザ光凝固装置。
【請求項４】
前記遮蔽板は、前記中継コネクタの側面のうち前記眼内プローブが接続される側面、または、前記中継コネクタに取り付けられた前記延長ファイバケーブルの先端面付近に配置されていることを特徴とする請求項２又は３に記載のレーザ光凝固装置。
【発明の詳細な説明】
【技術分野】
【０００１】
本発明はレーザ光凝固装置に係り、特に、レーザ光を治療部位に照射して治療を行うレーザ光凝固装置に関する。
【背景技術】
【０００２】
従来より、レーザ光を治療部位に照射して治療を行うレーザ光凝固装置が知られている。例えば、眼科においては、患者の眼内治療部位にレーザ光を照射して、網膜剥離などの治療を行う際に、レーザ光凝固装置が利用されている。
【０００３】
このようなレーザ光凝固装置は、レーザ光源を有するレーザ光源部と、レーザ光源部に接続されレーザ光源からのレーザ光を外部へ導出する延長ファイバケーブルと、延長ファイバケーブルの先端が取り付けられ、患者の被検眼を観察しながら、患者の被検眼に前記レーザ光を照射することのできる手術用顕微鏡とを備えている。
【０００４】
一般に、延長ファイバケーブルはレーザ光源部や手術用顕微鏡から取り外し自在であるから、レーザ光源部が駆動している状態で、つまりレーザ光源からレーザ光が発せられている状態で延長ファイバケーブルをレーザ光源部や手術用顕微鏡から取り外してしまうと、レーザ光が人の眼や肌に照射される虞があって問題であった。
【０００５】
そこで、延長ファイバケーブルをレーザ光源部や手術用顕微鏡から取り外したときには、レーザ光源部の駆動を停止させ、レーザ光が不用意に外部に漏洩するのを防止するようにしたレーザ光凝固装置が提案されている（たとえば、特許文献１参照）。
【特許文献１】特開平６−３１９７６７号公報
【発明の開示】
【発明が解決しようとする課題】
【０００６】
ところで、レーザ光凝固装置としては、延長ファイバケーブルの先端を手術用顕微鏡には取り付けず、眼内プローブに取り付けたものがある。すなわち、患者をベッド上に載せて治療を施すタイプのレーザ光凝固装置においては、術者は手術用顕微鏡で患者の眼内を観察しつつ、眼内プローブを手に持って治療を行うのが一般的である。
【０００７】
この場合、治療が終わったときに眼内プローブは滅菌する必要があるので、延長ファイバケーブルと眼内プローブとの間には中継コネクタが設けられ、眼内プローブは中継コネクタから取り外し可能となっている。
【０００８】
しかしながら、上記従来の技術では、眼内プローブを中継コネクタから取り外したときに、延長ファイバケーブルにて導出されたレーザ光が外部に漏洩し、そのレーザ光が人の眼や肌に当たってしまう虞がある。
【０００９】
本発明の課題は、延長ファイバケーブルと眼内プローブとが中継コネクタを介して接続されている場合、眼内プローブを中継コネクタから取り外しても、レーザ光が外部に漏洩するのを防止することのできるレーザ光凝固装置を提供することにある。
【課題を解決するための手段】
【００１０】
上記課題を解決するために、請求項１に記載の発明は、レーザ光源を有するレーザ光源部と、該レーザ光源部に接続され前記レーザ光源からのレーザ光を外部へ導出する延長ファイバケーブルと、前記延長ファイバケーブルの先端に取り付けられた中継コネクタと、前記中継コネクタに着脱自在に接続され、前記延長ファイバケーブルにて導出されたレーザ光を患者の被検眼へ照射するための眼内プローブとを備えたレーザ光凝固装置であって、前記中継コネクタは、前記眼内プローブが当該中継コネクタに接続されたときは、前記延長ファイバケーブルから前記眼内プローブへとレーザ光を導き、前記眼内プローブが当該中継コネクタから取り外されたときは、前記延長ファイバケーブルの先端面を遮蔽し、当該延長ファイバケーブルから外部へレーザ光が漏洩するのを防止するレーザ光漏洩防止手段を備えたことを特徴としている。
【００１１】
上記構成によれば、眼内プローブが中継コネクタから取り外されたときは、延長ファイバケーブルの先端面が遮蔽されので、延長ファイバケーブルから外部へレーザ光が漏洩するのを防止することができる。
【００１２】
請求項２に記載の発明は、請求項１において、前記中継コネクタは、前記レーザ光漏洩防止手段として、上部がピンで支持された遮蔽板を有し、該遮蔽板は前記ピン回りに回動自在に設けられ、前記眼内プローブを前記中継コネクタに接続したときは、前記遮蔽板は前記延長ファイバケーブルの端面前方から退避され、前記眼内プローブを前記中継コネクタから取り外したときは、前記遮蔽板がその自重で前記ピン回りに回動し、当該遮蔽板は前記延長ファイバケーブルの端面前方に位置することを特徴としている。
【００１３】
上記構成によれば、眼内プローブを中継コネクタから取り外したときは、遮蔽板がその自重でピン回りに回動して延長ファイバケーブルの端面前方に位置するので、延長ファイバケーブルから外部へレーザ光が漏洩するのを防止することができる。
【００１４】
請求項３に記載の発明は、請求項１において、前記中継コネクタは、前記レーザ光漏洩防止手段として、回転駆動機構と、該回転駆動機構によって駆動される遮蔽板と、前記回転駆動機構を起動させるスイッチとを有し、前記眼内プローブを前記中継コネクタに接続するときは、前記スイッチが操作されることにより、前記回転駆動機構が作動して前記遮蔽板が前記延長ファイバケーブルの端面前方から退避し、前記眼内プローブを前記中継コネクタから取り外したときは、前記回転駆動機構が自動的に作動して、前記遮蔽板を前記延長ファイバケーブルの端面前方に位置させることを特徴としている。
【００１５】
上記構成によれば、眼内プローブを中継コネクタから取り外したときは、回転駆動機構が自動的に作動して、遮蔽板が延長ファイバケーブルの端面前方に位置するので、延長ファイバケーブルから外部へレーザ光が漏洩するのを防止することができる。
【００１６】
請求項４に記載の発明は、請求項２又は３において、前記遮蔽板は、前記中継コネクタの側面のうち前記眼内プローブが接続される側面、または、前記中継コネクタに取り付けられた前記延長ファイバケーブルの先端面付近に配置されていることを特徴としている。
【発明の効果】
【００１７】
本発明によれば、延長ファイバケーブルと眼内プローブとが中継コネクタを介して接続されている場合、眼内プローブを中継コネクタから取り外しても、レーザ光が外部に漏洩するのを防止することができる。
【発明を実施するための最良の形態】
【００１８】
以下、本発明の実施例を図面に従って説明する。
【実施例１】
【００１９】
図１は、本発明に係るレーザ光凝固装置を示している。このレーザ光凝固装置１０は、脚部１１の上に載置されたレーザ光源部１２と、レーザ光源部１２の上に設けられ横方向に延設されたアーム部１３と、アーム部１３の先端部に吊設された手術用顕微鏡１４とを備えている。レーザ光源部１２の内部には、レーザ光を発するレーザ光源（図示省略）が設けられている。
【００２０】
また、レーザ光凝固装置１０には、レーザ光源部１２に接続され前記レーザ光源からのレーザ光を外部へ導出する延長ファイバケーブル１５と、延長ファイバケーブル１５の先端に取り付けられた中継コネクタ１６と、中継コネクタ１６に着脱自在に接続され、延長ファイバケーブル１５にて導出されたレーザ光を患者の被検眼へ照射するための眼内プローブ１７とが設けられている。
【００２１】
図２は延長ファイバケーブル１５が取り付けられた中継コネクタ１６の外観斜視図である。また、図３及び図４は図２のＳＡ−ＳＡ線に沿った断面を示しており、図３は眼内プローブ１７を中継コネクタ１６に接続したときの断面図、図４は眼内プローブ１７を中継コネクタ１６から取り外したときの断面図である。
【００２２】
中継コネクタ１６は、図２及び図３に示すように、ほぼ直方体を成し、一側面１６Ａに延長ファイバケーブル１５の先端部が取り付けられている。また、中継コネクタ１６の他側面１６Ｂには、眼内プローブ１７が着脱自在に接続されている。
【００２３】
なお、中継コネクタ１６の一側面１６Ａの中央には、後述するプラグ１９が挿入される挿入孔１６Ｃ（図３参照）が形成されている。また、中継コネクタ１６の他側面１６Ｂの中央には、後述するプラグ２０が挿入される挿入孔１６Ｄが形成されている。
【００２４】
中継コネクタ１６の内部には金属製の接続部材１８が設けられ、この接続部材１８の一側（中継コネクタ１６の一側面１６Ａと同じ側）には凸部１８Ａが設けられ、この凸部１８Ａの外周面には雄ねじ１８Ｂが形成されている。
【００２５】
延長ファイバケーブル１５の先端部には、有底円筒形状を成した金属製のプラグ１９が設けられ、延長ファイバケーブル１５はプラグ１９の底部を貫通している。プラグ１９は凹部１９Ａを有し、この凹部１９Ａの内周面には雌ねじ１９Ｂが形成されている。そして、プラグ１９の雌ねじ１９Ｂには接続部材１８の雄ねじ１８Ｂが螺合し、さらに、雌ねじ１９Ｂは雄ねじ１８Ｂに締め付けられ、これにより、プラグ１９は接続部材１８に（つまり、延長ファイバケーブル１５は中継コネクタ１６の一側面１６Ａに）強固に取り付けられている。
【００２６】
なお、延長ファイバケーブル１５は、樹脂製のコアと、そのコアの外表面を覆うクラッドとからなる光ファイバ本体１５Ａと、光ファイバ本体１５Ａの外表面を覆う保護チューブ１５Ｂとを有し、このうち、光ファイバ本体１５Ａがプラグ１９の底部を貫通し、光ファイバ本体１５Ａの先端面は接続部材１８の中央部まで達している。
【００２７】
一方、接続部材１８の他側（中継コネクタ１６の他側面１６Ｂと同じ側）には凸部１８Ｃが設けられ、この凸部１８Ｃの外周面には雄ねじ１８Ｄが形成されている。また、眼内プローブ１７の先端部にも、有底円筒形状を成した金属製のプラグ２０が設けられている。なお、凸部１８Ｃはその先端部が、中継コネクタ１６の他側面１６Ｂよりも外側に突出しない長さに設定されている。
【００２８】
眼内プローブ１７は先端部に、樹脂製のコアと、そのコアの外表面を覆うクラッドとからなる光ファイバ本体１７Ａを有し、この光ファイバ本体１７Ａはプラグ２０の底部を貫通し、光ファイバ本体１７Ａの先端面は接続部材１８の中央部まで達している。また、眼内プローブ１７は、光ファイバ本体１７Ａの外表面を覆う保護チューブ１７Ｂを有している。
【００２９】
プラグ２０は凹部２０Ａを有し、この凹部２０Ａの内周面には雌ねじ２０Ｂが形成されている。そして、プラグ２０の雌ねじ２０Ｂには接続部材１８の雄ねじ１８Ｄが螺合し、さらに、雌ねじ２０Ｂは雄ねじ１８Ｄに締め付けられ、これにより、プラグ２０は接続部材１８に（つまり、眼内プローブ１７は中継コネクタ１６の他側面１６Ｂに）強固に取り付けられている。
【００３０】
本実施例では、レーザ光漏洩防止手段として、中継コネクタ１６の他側面１６Ｂに遮蔽板２１が設けられている。この遮蔽板２１は、ピン２２によって中継コネクタ１６の他側面１６Ｂに取り付けられ、ピン２２回りに回動自在となっている。ピン２２は、中継コネクタ１６の他側面１６Ｂ及び遮蔽板２１の上部角部付近に配置されている。また、中継コネクタ１６の他側面１６Ｂには、その下部周縁部にストッパ２３が設けられている。
【００３１】
次に、本実施例の作用について説明する。
【００３２】
通常、中継コネクタ１６には、図２に示すように、延長ファイバケーブル１５が取り付けられている。眼内プローブ１７を中継コネクタ１６に接続する場合は、遮蔽板２１を手動によりピン２２を中心に矢印Ａ１方向に回動させて、中継コネクタ１６の他側面１６Ｂ中央の挿入孔１６Ｄを露出させ、この挿入孔１６Ｄに眼内プローブ１７先端部のプラグ２０を挿入する。
【００３３】
そして、プラグ２０の雌ねじ２０Ｂを接続部材１８の雄ねじ１８Ｄに螺合させて当該プラグ２０を締め付けることにより、眼内プローブ１７は中継コネクタ１６に完全に取り付けられる。このとき、眼内プローブ１７の光ファイバ本体１７Ａの先端面は延長ファイバケーブル１５の光ファイバ本体１５Ａの先端面に密接し、延長ファイバケーブル１５から眼内プローブ１７へとレーザ光が導かれる。
【００３４】
眼内プローブ１７が中継コネクタ１６に取り付けられた状態では、中継コネクタ１６からレーザ光が漏れることはない。このとき、遮蔽板２１は、その自重によりピン２２を中心に矢印Ａ２方向に回動し、遮蔽板２１は、その周縁がプラグ２０の上に載った状態となる。
【００３５】
眼内プローブ１７を中継コネクタ１６から取り外す場合は、接続部材１８の雄ねじ１８Ｄに対するプラグ２０の雌ねじ２０Ｂの締め付けを緩めて、プラグ２０を中継コネクタ１６の挿入孔１６Ｄから引き抜く。
【００３６】
遮蔽板２１は、その周縁がプラグ２０の上に載った状態となっているので、図４に示すように、プラグ２０を中継コネクタ１６の挿入孔１６Ｄから引き抜くと、遮蔽板２１はその自重によりピン２２を中心に矢印Ａ２方向（図２参照）に回動する。
【００３７】
この場合、遮蔽板２１は、その上部角部がピン２２で支持されているので、遮蔽板２１の重心位置がピン２１の真下（遮蔽板２１の重心位置がピン２２を通る鉛直線上）に位置するまで回動可能であるが、遮蔽板２１の回動角度が大きすぎると、中継コネクタ１６の挿入孔１６Ｄが露出してしまい、レーザ光が漏れてしまう虞がある。
【００３８】
そこで、本実施例では、中継コネクタ１６の他側面１６Ｂの下部周縁部にストッパ２３を設け、遮蔽板２１がその自重で矢印Ａ２方向（図２参照）へ回動したときは、遮蔽板２１の周縁がストッパ２３に当たって、遮蔽板２１の回動角度を一定角度に規制している。このように構成することにより、延長ファイバケーブル１５の端面前方が遮蔽され、中継コネクタ１６の挿入孔１６Ｄからレーザ光が漏洩するのを完全に防ぐことができる。
【００３９】
本実施例によれば、遮蔽板２１の上部角部をピン２２で支持するとともに、遮蔽板２１の矢印Ａ２方向へ回動角度を規制するストッパ２３を設けることにより、眼内プローブ１７を中継コネクタ１６から取り外したとき、中継コネクタ１６の姿勢を正立状態に維持していれば、遮蔽板２１が不用意にピン２２を中心に回動（矢印Ａ１方向への回動）することはない。
【００４０】
また、本実施例によれば、接続部材１８の凸部１８Ｃはその先端部が、中継コネクタ１６の他側面１６Ｂよりも外側に突出しない長さに設定されているので、ピン２２を中心にして回動する遮蔽板２１の動きを円滑に行わせることができる。
【実施例２】
【００４１】
図５は、実施例２を示している。本実施例では、中継コネクタ１６の内部に、レーザ光漏洩防止手段として、回転駆動機構３１、遮蔽板３２及びスイッチ３３が設けられている。回転駆動機構３１と遮蔽板３２とは回転軸３４を介して連結されており、遮蔽板３２は回転駆動機構３１によって回転駆動される。また、回転駆動機構３１とスイッチ３３とはケーブル３５を介して電気的に接続されており、回転駆動機構３１はスイッチ３３の操作により起動する。
【００４２】
また、遮蔽板３２は、実施例１と同様、その上部角部が回転軸３４で支持されている。さらに、図には示してないが、眼内プローブ１７のプラグ２０を中継コネクタ１６の挿入孔１６Ｄから引き抜いたとき、そのことを検知するセンサや、回転駆動機構３１に電力を供給する電池等が設けられている。他の構成は実施例１の場合と同じである。
【００４３】
次に、本実施例の作用について説明する。
【００４４】
通常、中継コネクタ１６には、図５に示すように、延長ファイバケーブル１５が取り付けられている。眼内プローブ１７を中継コネクタ１６に接続する場合は、スイッチ３３を操作すると、回転駆動機構３１が起動して、遮蔽板３２を回転軸３４を中心に矢印Ａ１方向（図２参照）に回動させる。つまり、遮蔽板３２を延長ファイバケーブル１５の端面前方から退避させる。これにより、中継コネクタ１６の他側面１６Ｂ中央の挿入孔１６Ｄが露出し、この挿入孔１６Ｄに眼内プローブ１７先端部のプラグ２０を挿入することが可能となる。そして、プラグ２０を挿入孔１６Ｄに挿入して、眼内プローブ１７を中継コネクタ１６に取り付ける。眼内プローブ１７を中継コネクタ１６に取り付けた際には、遮蔽板３２は延長ファイバケーブル１５の端面前方から退避した状態を維持している。
【００４５】
眼内プローブ１７を中継コネクタ１６から取り外した場合は、そのことが前記センサで検知され、回転駆動機構３１は、当該センサでの検知結果に基づいて遮蔽板３２を、回転軸３４を中心に矢印Ａ２方向（図２参照）に自動的に回動させる。つまり、遮蔽板３２を延長ファイバケーブル１５の端面前方に位置させる。これにより、延長ファイバケーブル１５の端面前方が遮蔽され、中継コネクタ１６の挿入孔１６Ｄからレーザ光が漏洩するのを完全に防ぐことができる。
【００４６】
本実施例によれば、眼内プローブ１７を中継コネクタ１６に取り付けるときだけスイッチ３３を操作すればよく、眼内プローブ１７を中継コネクタ１６から取り外すときは、そのことがセンサによって自動的に検知されるので、眼内プローブ１７の中継コネクタ１６への着脱操作を容易に行うことができる。
【００４７】
なお、上記各実施例では、遮蔽板２１又は３２は、中継コネクタ１６の他側面１６Ｂ側に配置されていたが、こにような構成に限らず、前記遮蔽板を、中継コネクタ１６に取り付けられた延長ファイバケーブル１５の先端面付近、つまり中継コネクタ１６の内部に配置してもよい。
【図面の簡単な説明】
【００４８】
【図１】本発明に係るレーザ光凝固装置の外観斜視図である。
【図２】実施例１を示しており、延長ファイバケーブルが取り付けられた中継コネクタの外観斜視図である。
【図３】図２のＳＡ−ＳＡ線に沿った断面を示しており、眼内プローブを中継コネクタ１６に接続したときの断面図である。
【図４】図２のＳＡ−ＳＡ線に沿った断面を示しており、眼内プローブを中継コネクタから外したときの断面図である。
【図５】実施例２を示しており、眼内プローブを中継コネクタに接続したときの断面図である。
【符号の説明】
【００４９】
１０  レーザ光凝固装置
１２  レーザ光源部
１５  延長ファイバケーブル
１５Ａ  光ファイバ本体
１６  中継コネクタ
１７  眼内プローブ
１７Ａ  光ファイバ本体
２１  遮蔽板
２２  ピン
３１  回転駆動機構
３２  遮蔽板
３３  スイッチ
３４  回転軸
【図１】
2009297083.tif 000003
【図２】
2009297083.tif 000004
【図３】
2009297083.tif 000005
【図４】
2009297083.tif 000006
【図５】
2009297083.tif 000007